(57)【要約】【課題】多数本の鋼管等を収容するパレットが運搬車で運ばれて任意な位置へ降ろされても、そのパレット上の積荷からの人や物品の落下時の安全を確保する。【解決手段】下方に車輪を有する略積荷長の台車と、該台車に傾斜角度自在にヒンジ結合されたネット張架フレーム６と、該ネット張架フレームに張架されたネット７とからなる可搬型保安ネットであって、ネット張架フレーム６が左右一対で設けられ、台車の長手方向前後にレール走行車輪４を設け、該レール走行車輪がＩ形レールの上辺を上下から挟んで転動させる上輪４ａと下輪４ｂの対である。【選択図】　　　　図１
2004011348.tif 000002
【特許請求の範囲】
【請求項１】
下方に車輪を有する略積荷長の台車と、該台車に傾斜角度自在にヒンジ結合されたネット張架フレームと、該ネット張架フレームに張架されたネットとからなる可搬型保安ネット。
【請求項２】
ネット張架フレームが台車の長手方向軸に左右一対で設けられ、該左右のネット張架フレームがそれぞれ任意な角度に保持されるフレーム保持手段を設けた請求項１記載の可搬型保安ネット。
【請求項３】
ネット張架フレームが左右一対で設けられたものの２組からなる請求項１記載の可搬型保安ネット。
【請求項４】
台車が略積荷と平行な方向に設けられたレール上を走行するレール走行レール走行車輪を有する請求項１又は２記載の可搬型保安ネット。
【請求項５】
台車の長手方向前後にレール走行車輪を設け、該レール走行車輪がＩ形レールの上辺を上下から挟んで転動させる上輪と下輪の対である請求項１乃至３のいずれか記載の可搬型保安ネット。
【発明の詳細な説明】
【０００１】
【発明の属する技術分野】
本発明は、積荷からの人や物品の落下時の安全確保を目的とする可搬型保安ネットに関する。
【０００２】
【従来の技術】
従来より、多数本の鋼管等の積荷における玉掛け作業、ストック作業等においては、人が積荷上で作業したり、積荷の荷崩れによって、人や物品の落下のおそれがあるため、積荷の脇へ保安設備を設けて、安全を保つようにしている。そのために主に用いられてきた保安設備としては、積荷の脇へ固定された支持棒等を用いてネット状のものを張るといった構造のものであった。
【０００３】
【発明が解決しようとする課題】
多数本の鋼管等の積荷は、それらを収容するパレット（ストック台）毎に運搬車で運ばれて、パレット毎運搬車の荷台から降ろされて、その後パレット上における玉掛け作業、ストックのための作業等が行われる例がほとんどである。運搬車が運んできたパレットがストック場所へ降ろされるとき、パレットとパレットの間又はパレットの両側の積荷の脇へネット状のものを張架するために枠体を固定状態で立て掛けて配置している場合には、運搬車を前後させて正確にネット状のものを張架する枠体の位置まで接近させる必要がある。しかし、運搬車を数ｃｍの誤差範囲内で正確に幅寄せさせることは至難の業であって日常業務として現実的ではない。しかし、ネットとパレットが離れてしまっては保安の機能が果たせないといった問題を生じる。
【０００４】
そこで、本発明者は多数本の鋼管等を収容するパレットが運搬車で運ばれて任意な位置へ降ろされても、積荷からの人や物品の落下時の安全確保が容易かつ確実にできる可搬型保安ネットについて検討した。
【０００５】
【課題を解決するための手段】
上記課題を検討した結果、下方に車輪を有する略積荷長の台車と、該台車に傾斜角度自在にヒンジ結合されたネット張架フレームと、該ネット張架フレームに張架されたネットとからなる可搬型保安ネットとした。安全を確保するために台車、ネット張架フレームの長さはほぼ人が上がって作業する長さが好ましい。また、ネットを張架するネット張架フレームは、台車に傾斜角度自在にヒンジ結合することによって、パレットが任意な位置へ降ろされても、台車とパレットの間が所定の範囲内であれば、傾斜角度を任意に変えてネットの配置が隙間なくできる。そこで、積荷からの人や物品の落下時の安全確保が可能である。
【０００６】
ネット張架フレームは台車の長手方向軸に開く方向で左右一対で設けるとよく、該左右のネット張架フレームはそれぞれ台車に傾斜角度自在にヒンジ結合した構造とすることによって、左右のネット張架フレームが任意な角度に保持される。このように設けると、台車とその左右に運ばれたパレットとの間の距離が異なっても、それに応じて左右のネット張架フレームのそれぞれが異なる傾斜角度でネットを配置して、危険な隙間をなくすることができる。そこで、台車とパレットとの間の距離が異なっても積荷からの人や物品の落下時の安全確保が可能となる。任意な角度での保持は積荷パレット（ストック台）等に立て掛けることによって可能である。
【０００７】
長い台車の前後にレール走行車輪を設ける。また、台車の傾きを防止するために、レール走行車輪はＩ形鋼製のレールの上辺を上下から挟むようにして転動させる。そのために、レール走行車輪はレールの左右に上輪と下輪の対で設けるのが好ましい。これらによって台車の傾きを防止すると共に、脱輪を防止することができる。
【発明の実施の形態】
【０００８】
図１は多数本の鋼管を収容するパレットとパレットの間に本発明の可搬型保安ネットを配備した際の正面図、図２は同側面図、図３は同平面図である。図４は本発明の可搬型保安ネットの正面図、図５は同側面図である。図１と図３によって明らかなように、本発明の可搬型保安ネット１は、パレット２とパレット２の間、或いはパレット２の両側の積荷３の脇へ配置して使用される。積荷から作業員や物品が落下しても安全が確保される。
【０００９】
本発明の可搬型保安ネット１は、下方にレール走行車輪４を有する略積荷長の台車５と、該台車５に傾斜角度自在にヒンジ結合されたネット張架フレーム６と、該ネット張架フレーム６に張架されたネット７とからなる。可搬型保安ネット１は前後に移動可能とするためのレール走行車輪４が床上に敷設されたレール８に乗っている。従って、パレット２が降ろされた位置の脇へ任意に移動させることができる。
【００１０】
ネット張架フレーム６は台車５に長手方向の軸９によってヒンジ結合で左右一対が回動するように設けられている。該左右のネット張架フレーム６，６はそれぞれ台車に傾斜角度自在にヒンジ結合されたことによって、左右のネット張架フレーム６，６が任意な角度に保持される。このように設けると、台車とその左右に運ばれたパレットとの間の距離が異なっても、それに応じて左右のネット張架フレーム６，６のそれぞれが異なる傾斜角度でネット７を配置するようになっている。左右のネット張架フレーム６，６の傾斜角を一定の角度で維持させるためには、パレットにネット張架フレーム６の上端を接触した状態にする。
【００１１】
台車５の詳細は、図４，５によって明らかなように、長い台車５の前後にレール走行車輪４，４を設けている。台車５の傾きを防止するために、レール走行車輪４はＩ形鋼製のレール８の上辺８ａを挟むように、レールの左右に上輪４ａと下輪４ｂの対で設けている。これらによって台車５の傾きを防止すると共に、脱輪を防止することができる。
【００１２】
【発明の効果】
本発明の可搬型保安ネットは以上のような構造であるから、積荷用のパレットとパレットの間又はパレットの両側へ配置して用いた場合に、パレットとの間の距離が異なっても、それに応じて左右のネット張架フレームのそれぞれが異なる傾斜角度でネットを配置するので、危険な隙間をなくすことができる。そこで、台車とパレットとの間の距離が異なっても積荷からの人や物品の落下時の安全確保が可能となる。また、パレット運搬車の幅寄せ位置に多少のズレがあっても、同様に保安の機能を果たすことができる。
【００１３】
更に、垂直方向に不安定な台車をＩ形鋼製のレールの上辺を挟むように、レールの左右に上輪と下輪の対で設けたことにより、傾きと脱輪を防止して安定に、しかも容易に少人数で所望の位置へ保安ネットを配置することができる。
【図面の簡単な説明】
【図１】多数本の鋼管を収容するパレットとパレットの間に本発明の可搬型保安ネットを配備した際の正面図である。
【図２】同可搬型保安ネットを配備した際の側面図である。
【図３】同可搬型保安ネットを配備した際の平面図である。
【図４】本発明の可搬型保安ネットの正面図である。
【図５】本発明の可搬型保安ネットの側面図である。
【符号の説明】
１　可搬型保安ネット
２　パレット
３　積荷
４　レール走行車輪
５　台車
６　ネット張架フレーム
７　ネット
８　レール
９　軸
【図１】
2004011348.tif 000003
【図２】
2004011348.tif 000004
【図３】
2004011348.tif 000005
【図４】
2004011348.tif 000006
【図５】
2004011348.tif 000007